(57)【要約】      （修正有）【課題】構造が単純でスパッタ粒子の捕獲効率が大きいフラッシュランプ。【解決手段】カソード側電極１２をリード線１２ａを介装して電極挿通部１３ａに挿通させ、電極挿通部１３ａを基端に備え胴周を発光管１１の胴周より拡径させた発光管端部体１３を設け、発光管端部体１３の先端側をすぼめると共に発光管１１の端辺を長手方向に突出させたスパッタ粒子飛散防止辺１１ａを設けて、一体的に接続してスパッタ粒子飛散防止空間１４を備えた。【選択図】図１
0003135694.tif 000002
【実用新案登録請求の範囲】
【請求項１】
円筒状の発光管の両端辺にアノード側電極とカソード側電極とを対向させて配設してパルス点灯させるフラッシュランプであって、前記カソード側電極をリード線を介装して電極挿通部に挿通させ、該電極挿通部を基端に備え胴周を前記発光管の胴周より拡径させた発光管端部体を設け、該発光管端部体の先端側をすぼめると共に前記発光管の端辺の若干巾を長手方向に突出させたスパッタ粒子飛散防止辺を設けて胴周に一体的に接続してスパッタ粒子飛散防止空間を備えたことを特徴とするフラッシュランプ。
【請求項２】
円筒状の発光管の両端辺にアノード側電極とカソード側電極とを対向させて配設してパルス点灯させるフラッシュランプであって、前記カソード側電極をリード線を介装して電極挿通部に挿通させ、該電極挿通部を基端に設け胴周を前記発光管の胴周より拡径させた発光管端部体を設け、該発光管端部体の先端側を断面Ｕ字状に内側に湾曲させた湾曲部と前記発光管の胴周より縮径させ内側短辺のスパッタ粒子飛散防止辺を設けると共に、前記発光管の端部を前記湾曲部の頂部に一体的に接続してスパッタ粒子飛散防止空間を備えたことを特徴とするフラッシュランプ。
【考案の詳細な説明】
【技術分野】
【０００１】  本考案はフラッシュランプに関するものであり、更に、詳細には、特に、紫外線照射による殺菌又は滅菌、紫外線硬化樹脂の硬化処理等をするための比較的大容量のフラッシュランプに関するものである。
【背景技術】
【０００２】  例えば、紫外線照射による殺菌又は滅菌は、大量に処理を施すことが効率的で、高い負荷でフラッシュランプを連続的にパルス点灯させるものであるが、カソード側電極から電極の構成物質からスパッタ粒子が飛散して発光管の内側に付着して、発光管の紫外線の光透過性を損ねて、ランプ寿命が短命化していた。【０００３】  その為に、先に開示されたスパッタ粒子の飛散を減少させるものとして、発光管の両端近傍に陽極と陰極を対向配置して、この発光管の外壁にトリガー電極を配置させた構成において、前記発光管は、陰極の先端近傍であって陽極寄りの位置において、当該発光管の内径が小さい小径部が形成されたもの（特許文献１参照）や、発光管内に一対の電極が対向して配置され、内部に希ガスが封入されたフラッシュランプにおいて、前記発光管内の電極が対向する空間を、一部遮蔽する構造体を配置することを特徴とする。この遮蔽体は、発光管の陰極近傍の対向電極側に発光管の発光部の内径よりも小さい内径の円筒体であるもの（特許文献２参照）や、フラッシュランプ１の点灯時に発光管２の放電空間Ｅ内で熱膨張する封入ガスの膨張圧をバッファ空間Ｂ１（及びＢ２）で吸収して、放電空間の内圧とバッファ空間の内圧が均衡状態となるまでの間に、放電空間内に生じたスパッタ粒子を封入ガスと共に気道９（及び１２）を通じてバッファ空間内へ流入させ、そのバッファ空間を成す発光管の内壁に付着させて捕集するようにしたもの（特許文献３参照）が開示されている。
【特許文献１】特開２００５−１１７８１号公報
【特許文献２】特開２００６−２８６４５５号公報
【特許文献３】特開２００５−５６６３８号公報
【考案の開示】
【考案が解決しようとする課題】
【０００４】  然し乍ら、特許文献１に記載されているものは発光管１１に小径部１５を形成しているものであり、又、特許文献２に記載されているものも、発光管１の一部を遮蔽する構造体を配置したものであり、スパッタ粒子の飛散を減少させる効果は有するものの、効率的とは云えず、更に、特許文献３に記載されているものは、電極の外側にバッファ空間を設けて、封入ガスのバッファ空間への流れにスパッタ粒子を乗せて前記バッファ空間でスパッタ粒子を捕獲するものであるが、構造が複雑化すると共に捕獲効率にも疑問があるものである。
【課題を解決するための手段】
【０００５】  本考案のフラッシュランプは、前記課題に鑑み、鋭意研鑽の結果、円筒状の発光管にアノード側電極とカソード側電極とを配設してたフラッシュランプであって、カソード側電極をリード線を介装して電極挿通部に挿通させ、電極挿通部を備え胴周を発光管の胴周より拡径させた発光管端部体を設け、発光管端部体の先端側をすぼめると共に発光管の端辺の若干巾を突出させたスパッタ粒子飛散防止辺を設けて胴周に一体的に接続してスパッタ粒子飛散防止空間を備えたものであり、並びに、発光管端部体の先端側を断面Ｕ字状に内側に湾曲させた湾曲部と発光管の胴周より縮径させ内側短辺のスパッタ粒子飛散防止辺を設けると共に、発光管を湾曲部に一体的に接続してスパッタ粒子飛散防止空間を備えたものである。
【考案の効果】
【０００６】  本考案のフラッシュランプは、カソード側電極に、発光管の胴周より拡径させた発光管端部体を設けると共に、若干巾をカソード側電極側の方向に突出させたスパッタ粒子飛散防止辺を設けたスパッタ粒子飛散防止空間を備えたことにより、スパッタ粒子の飛散を高効率で捕獲できるもので、フラッシュランプの長寿命を図ったもので、画期的で実用性の高い考案である。
【考案を実施するための最良の形態】
【０００７】  以下、本考案のフラッシュランプの実施例の図面を用いて詳細に説明すと、図１は本考案のフラッシュランプの実施例の断面説明図であり、図２は本考案のフラッシュランプの次実施例の断面説明図である。【０００８】  本考案はフラッシュランプに関するものであり、更に、詳細には、特に、紫外線照射による殺菌又は滅菌、紫外線硬化樹脂の硬化処理等をするための比較的大容量のフラッシュランプに関するものであり、請求項１に記載のフラッシュランプは、円筒状の発光管１１の両端辺にアノード側電極とカソード側電極１２とを対向させて配設してパルス点灯させるフラッシュランプであって、前記カソード側電極１２をリード線１２ａを介装して電極挿通部１３ａに挿通させ、該電極挿通部１３ａを基端に備え胴周を前記発光管１１の胴周より拡径させた発光管端部体１３を設け、該発光管端部体１３の先端側をすぼめると共に前記発光管１１の端辺の若干巾を長手方向に突出させたスパッタ粒子飛散防止辺１１ａを設けて胴周に一体的に接続してスパッタ粒子飛散防止空間１４を備えたことを特徴とするものである。【０００９】  更に、請求項２に記載のフラッシュランプは、円筒状の発光管２１の両端辺にアノード側電極とカソード側電極２２とを対向させて配設してパルス点灯させるフラッシュランプであって、前記カソード側電極２２をリード線２２ａを介装して電極挿通部２３ａに挿通させ、該電極挿通部２３ａを基端に設け胴周を前記発光管２１の胴周より拡径させた発光管端部体２３を設け、該発光管端部体２３の先端側を断面Ｕ字状に内側に湾曲させた湾曲部２３ｂと前記発光管２１の胴周より縮径させ内側短辺のスパッタ粒子飛散防止辺２３ｃを設けると共に、前記発光管２１の端部を前記湾曲部２３ｂの頂部に一体的に接続してスパッタ粒子飛散防止空間２４を備えたことを特徴とするものである。
【実施例】
【００１０】  即ち、本考案のフラッシュランプの実施例の発光管１１は、円筒状の石英ガラス管に希ガスであるキセノンを封入して、その両端辺にアノード側電極（図示しない）とカソード側電極１２とを対向させて配設して、パルス点灯させるものであり、パルス点灯により紫外線を発光させて殺菌、滅菌、紫外線硬化樹脂の硬化等をさせるものである。【００１１】  そして、アノード側電極とカソード側電極１２とは、夫々リード線１２ａの先端に電極を固定して、発光管１１の端部に接続する後述する発光管端部体１３にリード線１２ａが挿通する電極挿通部１３ａを形成して封止しているものである。【００１２】  次に、発光管端部体１３は、カソード側電極１２に備えるものであり、該カソード側電極１３の電極挿通部１３ａを基端に備えると共に、発光管端部体１３の胴周は発光管１１の胴周より拡径させているものである。【００１３】  次いで、スパッタ粒子飛散防止空間１４は、発光管端部体１３の先端側をすぼめて発光管１１の胴周に溶着等の手段により一体的に接続するものであるが、発光管１１の端辺の若干巾を長手方向に突出させたスパッタ粒子飛散防止辺１１ａを設けているものである。【００１４】  つまり、発光管１１の端辺の若干巾であるスパッタ粒子飛散防止辺１１ａの基端部は、カソード側電極１２より先端方向に位置するように形成しているものであり、カソード側電極１２より飛散するスパッタ粒子をスパッタ粒子飛散防止辺１１ａとスパッタ粒子飛散防止空間１４とが効率良く捕獲して、発光管端部体１３の内側にスパッタ粒子を付着させるものである。【００１５】  また、本考案のフラッシュランプの次実施例は、円筒状の発光管２１の両端辺にアノード側電極（図示しない）とカソード側電極２２とを対向させて配設して、カソード側電極２２をリード線２２ａを介装して発光管２１の端部に接続する後述する発光管端部体２３に形成した電極挿通部２２ａに挿通させているもので、前述の実施例と同様なものである。【００１６】  そして、発光管端部体２３は、カソード側電極２２に備えるものであり、該カソード側電極２２の電極挿通部２３ａを基端に備え、発光管端部体２３の胴周を発光管２１の胴周より拡径させているものである。【００１７】  次に、次実施例では、発光管端部体２３の先端側を断面Ｕ字状に内側に湾曲させた湾曲部２３ｂを形成しており、湾曲部２３ｂの内側は発光管２１の胴周より縮径させ内側短辺のスパッタ粒子飛散防止辺２３ｃを設けたものである。【００１８】  更には、発光管２１の端部を湾曲部２３ｂの頂部に一体的に接続してスパッタ粒子飛散防止空間２４を備えたものである。
【産業上の利用可能性】
【００１９】  本考案は、カソード側電極に、発光管の胴周より拡径させた発光管端部体を設けると共に、若干巾をカソード側電極側の方向に突出させたスパッタ粒子飛散防止辺を設けたスパッタ粒子飛散防止空間を備えたことにより、スパッタ粒子の飛散を高効率で捕獲できもので、長寿命化を図ったフラッシュランプを提供するものである。
【図面の簡単な説明】
【００２０】
【図１】  図１は本考案のフラッシュランプの実施例の断面説明図である。
【図２】  図２は本考案のフラッシュランプの次実施例の断面説明図である。
【符号の説明】
【００２１】１１      発光管
１１ａ    スパッタ粒子飛散防止辺
１２      カソード側電極
１２ａ    リード線
１３      発光管端部体
１３ａ    電極挿通部
１４      スパッタ粒子飛散防止空間
２１      発光管
２２      カソード側電極
２２ａ    リード線
２３      発光管端部体
２３ａ    電極挿通部
２３ｂ    湾曲部
２３ｃ    スパッタ粒子飛散防止辺
２４      スパッタ粒子飛散防止空間
【図１】
0003135694.tif 000003
【図２】
0003135694.tif 000004